(57)【要約】【課題】プラグ端子を両側から挟持して接触できる接触部を有した基板間接続コネクタの接続端子を提供する。【解決手段】プラグ端子２１を有するプラグコネクタ２に接続されるレセプタクルコネクタ１に複数設けられるものであって、レセプタクル本体１０の側部から導出され外部基板に接続される第１腕部３０を有し、プラグ端子２１を両側から挟持し接続される接触部３６が、第１腕部３０に対し並設配置されると共に、一体化されてなる。【選択図】図３
2010073674.tif 000002
【特許請求の範囲】
【請求項１】
プラグ端子を有するプラグコネクタに接続されるレセプタクルコネクタに複数設けられる基板間接続コネクタの接続端子において、
前記レセプタクル本体の側部から導出され外部基板に接続される第１腕部を有し、前記プラグ端子を両側から挟持し接続される接触部が、前記第１腕部に対し並設配置されると共に、一体化されてなることを特徴とする基板間接続コネクタの接続端子。
【請求項２】
前記接触部は前記第１腕部と平行な第２腕部に形成されることで、前記第１腕部に対し並設配置され、前記第１腕部と第２腕部は接続桟部を介して一体化されてなることを特徴とする請求項１記載の基板間接続コネクタの接続端子。
【請求項３】
前記接触部は前記第１腕部の長手方向と交差する方向に伸びる延出部に形成されることで、前記第１腕部に対し並設配置されることを特徴とする請求項１記載の基板間接続コネクタの接続端子。
【請求項４】
前記接触部は金属板が屈曲されてなる屈曲部を備え、該屈曲部が前記プラグ端子の両側に対称形状をなすように形成されてなることを特徴とする請求項１〜３のいずれか１項に記載の基板間接続コネクタの接続端子。
【請求項５】
前記第１腕部は前記レセプタクル本体の側部から導出される側の一端部に半田付け部を備えると共に、該半田付け部から連続する細長状の平板部を備え、該平板部には長手方向と直交する方向に前記接触部が一体化されると共に、前記第１腕部の他端部を構成する突出部が、前記接触部が一体化される位置より突出してなることを特徴とする請求項１〜４のいずれか１項に記載の基板間接続コネクタの接続端子。
【発明の詳細な説明】
【技術分野】
【０００１】
本発明は、対向する２枚の基板に設けられるプラグコネクタ及びレセプタクルコネクタからなる基板間接続コネクタのレセプタクルコネクタに設けられる接続端子に関し、特にレセプタクルコネクタから導出される部分とプラグコネクタと接続される部分を並設配置した基板間接続コネクタの接続端子に関する。
【背景技術】
【０００２】
対向する２枚の基板を積層する場合において、基板間の電気的な接続をなすために基板間接続コネクタが用いられる。基板間接続コネクタは、一方の基板に設けられるプラグコネクタと、他方の基板に設けられるレセプタクルコネクタとからなり、プラグコネクタをレセプタクルコネクタに挿入することにより、両者が接続されるようになっている。
【０００３】
プラグコネクタは、絶縁材料からなるプラグ本体と、プラグ本体に保持されるプラグ端子とで構成される。また、レセプタクルコネクタは、絶縁材料からなるレセプタクル本体と、レセプタクル本体に保持されるコンタクト端子とで構成される。コンタクト端子は、複数が列状に配列されて端子列を構成し、この端子列が複数並列配置されてレセプタクル本体に保持される。このような基板間接続コネクタとしては、例えば特許文献１に挙げるようなものがある。
【特許文献１】特開２００７−１８９９３号公報
【発明の開示】
【発明が解決しようとする課題】
【０００４】
レセプタクルコネクタのコンタクト端子は、レセプタクル本体から外方に突出して基板に半田付けされる半田付け部と、レセプタクル本体の側面形状に合わせて凸状に形成された凸状部と、プラグコネクタのプラグ端子と係合して接触する接触部とが、一直線状に配置され形成されていた。このため、接触部はプラグコネクタのプラグ端子に対して片側から接触する形態を採っていた。しかし、片側からの接触であるため、接触部とプラグ端子とを安定的に接触させることは困難であった。
【０００５】
本発明は前記課題を鑑みてなされたものであり、プラグ端子を両側から挟持して接触できる接触部を有した基板間接続コネクタの接続端子を提供することを目的とする。
【課題を解決するための手段】
【０００６】
前記課題を解決するため、本発明に係る基板間接続コネクタの接続端子は、プラグ端子を有するプラグコネクタに接続されるレセプタクルコネクタに複数設けられる基板間接続コネクタの接続端子において、
前記レセプタクル本体の側部から導出され外部基板に接続される第１腕部を有し、前記プラグ端子を両側から挟持し接続される接触部が、前記第１腕部に対し並設配置されると共に、一体化されてなることを特徴として構成されている。
【０００７】
また、本発明に係る基板間接続コネクタの接続端子は、前記接触部は前記第１腕部と平行な第２腕部に形成されることで、前記第１腕部に対し並設配置され、前記第１腕部と第２腕部は接続桟部を介して一体化されてなることを特徴として構成されている。
【０００８】
さらに、本発明に係る基板間接続コネクタの接続端子は、前記接触部は前記第１腕部の長手方向と交差する方向に伸びる延出部に形成されることで、前記第１腕部に対し並設配置されることを特徴として構成されている。
【０００９】
さらにまた、本発明に係る基板間接続コネクタの接続端子は、前記接触部は金属板が屈曲されてなる屈曲部を備え、該屈曲部が前記プラグ端子の両側に対称形状をなすように形成されてなることを特徴として構成されている。
【００１０】
そして、本発明に係る基板間接続コネクタの接続端子は、前記第１腕部は前記レセプタクル本体の側部から導出される側の一端部に半田付け部を備えると共に、該半田付け部から連続する細長状の平板部を備え、該平板部には長手方向と直交する方向に前記接触部が一体化されると共に、前記第１腕部の他端部を構成する突出部が、前記接触部が一体化される位置より突出してなることを特徴として構成されている。
【発明の効果】
【００１１】
本発明に係る基板間接続コネクタの接続端子によれば、レセプタクル本体の側部から導出され外部基板に接続される第１腕部を有し、プラグ端子を両側から挟持し接続される接触部が、第１腕部に対し並設配置されると共に、一体化されてなることにより、接触部をプラグ端子の両側から挟持するように形成することができ、コンタクト端子の接触部とプラグ端子とを安定的に接触させることができる。
【００１２】
また、本発明に係る基板間接続コネクタの接続端子によれば、接触部は第１腕部と平行な第２腕部に形成されることで、第１腕部に対し並設配置され、第１腕部と第２腕部は接続桟部を介して一体化されてなることにより、簡易な構成で接触部を第１腕部と並設配置することができる。
【００１３】
さらに、本発明に係る基板間接続コネクタの接続端子によれば、接触部は第１腕部の長手方向と交差する方向に伸びる延出部に形成されることで、第１腕部に対し並設配置されることにより、簡易な構成で接触部を第１腕部と並設配置することができる。
【００１４】
さらにまた、本発明に係る基板間接続コネクタの接続端子によれば、接触部は金属板が屈曲されてなる屈曲部を備え、屈曲部がプラグ端子の両側に対称形状をなすように形成されてなることにより、金属板を屈曲させることで弾性を有した屈曲部とすることができ、この屈曲部でプラグ端子を両側から挟持することとなるので、強固な接続をなすことができる。
【００１５】
そして、本発明に係る基板間接続コネクタの接続端子によれば、第１腕部はレセプタクル本体の側部から導出される側の一端部に半田付け部を備えると共に、半田付け部から連続する細長状の平板部を備え、平板部には長手方向と直交する方向に接触部が一体化されると共に、第１腕部の他端部を構成する突出部が、接触部が一体化される位置より突出してなることにより、インサート成形の際に突出部側を切断することとなり半田付け部を切断する必要がないので、半田の接着性を良好にするメッキを切断面に行わなくてもよいこととなり、工数を減らして製造コストを抑えることができる。
【発明を実施するための最良の形態】
【００１６】
本発明の実施形態について、図面に沿って詳細に説明する。図１には、本実施形態における接続端子を有した基板間接続コネクタの斜視図を示している。この図に示すように、基板間接続コネクタは、一方の基板に取付けられるレセプタクルコネクタ１と、他方の基板に取付けられるプラグコネクタ２とで構成される。これらが取付けられる２枚の基板は、互いに対向するように配置され、基板間接続コネクタを介して電気的に接続される。
【００１７】
レセプタクルコネクタ１は、樹脂材などの絶縁材料からなるレセプタクル本体１０と、レセプタクル本体１０に保持される金属製のコンタクト端子１１とで構成される。また、プラグコネクタ２は、樹脂材などの絶縁材料からなるプラグ本体２０と、プラグ本体２０に保持される金属製のプラグ端子２１とで構成される。
【００１８】
レセプタクルコネクタ１には、長手方向に沿って２本の空間部１４が形成されており、各空間部１４に沿って複数のコンタクト端子１１が配置されている。コンタクト端子１１は、複数が列をなして端子列１２を構成しており、レセプタクル本体１０には、２つの端子列１２が各空間部１４に沿うよう並列配置されている。プラグコネクタ２は、レセプタクルコネクタ１の２本の空間部１４の内周面に略適合する外形状を有しており、これがレセプタクルコネクタ１に挿入されることにより、コンタクト端子１１とプラグ端子２１とが接触し導通するようにされている。
【００１９】
図２には、レセプタクルコネクタ１の分解斜視図を示している。この図に示すように、レセプタクル本体１０は、上方開放状の略箱型に形成されており、内部には長手方向に沿って平行な２本の空間部１４が形成されると共に、これら２本の空間部１４は両端で端部空間部１７により連通している。
【００２０】
空間部１４を構成する両側壁には、それぞれ凹状の隔壁部１５が形成されている。隔壁部１５は、端子列１２を構成する各コンタクト端子１１につき１対が形成されている。レセプタクル本体１０の側面を構成する側の隔壁部１５は、それぞれが長手方向に所定間隔を有して離隔するように配置されており、隣接する隔壁部１５間には、隔壁部１５よりも上面が低く、かつ側面が隔壁部１５よりも内側に引っ込んだ形状とされた内側壁部１６が設けられる。一方、レセプタクル本体１０の側面と対向する側の隔壁部１５は、一方の空間部１４に面する側と他方の空間部１４に面する側とが、互い違い状となるように形成される。
【００２１】
レセプタクル本体１０に保持されるコンタクト端子１１は、前述のように列状に配置されて端子列１２を構成し、一組の端子列１２は、樹脂材からなるモールド部１３内に埋設されて一体化されている。モールド部１３は、レセプタクル本体１０に形成された空間部１４の内周面に略適合する外形状を有するように形成されており、空間部１４に挿入されることで埋設されたコンタクト端子１１がレセプタクル本体１０内において所定の位置に配置されるようになっている。
【００２２】
次に、コンタクト端子１１について説明する。図３にはコンタクト端子１１の斜視図を、図４にはコンタクト端子１１の平面図（図４（ａ））および側面図（図４（ｂ））を示している。図３に示すように、コンタクト端子１１は、いずれも細板状からなる第１腕部３０と第２腕部３５とが平行に配置されると共に、両者が接続桟部３７により一体化されて構成されている。
【００２３】
図３及び図４（ａ）に示すように、第１腕部３０は、図中手前側の端部から順に、レセプタクル本体１０の外部に突出する半田付け部３１と、半田付け部３１から上方に立ち上がって凸状をなす凸状部３２と、凸状部３２から図中奥側の端部までを構成する平面状の平板部３３とからなっている。図３及び図４（ｂ）に示すように、第２腕部３５は、両端部にそれぞれ略逆Ｕ字状に折り曲げ形成されてなる接触部３６を有している。図３及び図４（ａ）に示すように、接続桟部３７は、第１腕部３０を構成する平板部３３の略中央位置と第２腕部３５の略中央位置とを繋ぐように設けられている。
【００２４】
第１腕部３０の凸状部３２は、図１に示すようにレセプタクル本体１０の内側壁部１６に沿う形状を有している。すなわち、コンタクト端子１１は凸状部３２が内側壁部１６を乗り越える形状を有していることにより、半田付け部３１をレセプタクル本体１０の外部に露出させるようにしている。
【００２５】
図４（ｂ）に示すように、第１腕部３０の凸状部３２と第２腕部３５の接触部３６のうち一方は、図の側面視において重なりあう部分を有している。図４（ｂ）において図の側面視の方向は、端子列１２が並列配置される方向に相当する。すなわち、凸状部３２と接触部３６の一方が、端子列１２が並列配置される方向において重なりあう部分を有するように第１腕部３０と第２腕部３５が配置されている。
【００２６】
このように、第１腕部３０と第２腕部３５を平行に配置し接続桟部３７を介して両者を一体的としたことにより、凸状部３２と接触部３６の一方が、端子列１２が並列配置される方向において重なりあうように配置することができる。これによって、接触部３６をレセプタクル本体１０の側壁側に寄せるように配置しても、凸状部３２と干渉することがなく、したがってコンタクト端子１１を端子列１２が並列配置される方向に短くすることができる。
【００２７】
図５には、レセプタクルコネクタ１の平面図を示している。この図に示すように、レセプタクル本体１０の空間部１４に沿って、コンタクト端子１１の第１腕部３０と第２腕部３５とが交互に配置される。第１腕部３０は、平板部３３の中央付近がモールド部１３に埋設されており、第２腕部３５は接触部３６以外の部分がモールド部１３に埋設されている。
【００２８】
第１腕部３０の半田付け部３１とは反対側の端部は、前述のように平板部３３によって構成されている。接続桟部３７は平板部３３の略中央位置から連続状に設けられており、接続桟部３７よりも端部側の平板部３３は、図５に示すようにモールド部１３から突出する突出部３４となっている。この部分は、コンタクト端子１１とモールド部１３とを一体成形する際に、端子形成板に一体形成されたコンタクト端子１１を、端子形成板から切り離すことによって形成される。
【００２９】
図６には、端子形成板４０を用いてモールド部１３をインサート成形した斜視図を示している。この図に示すように、端子形成板４０は、板状部４１の一辺から伸びる桟部４２の先端部にコンタクト端子１１を形成してなり、モールド部１３の成形の際には、端子形成板４０に繋がれた状態でコンタクト端子１１を金型内に配置し、インサート成形が行われる。モールド部１３を成形したら、各コンタクト端子１１を桟部４２から切り離すことで、端子列１２とモールド部１３が一体化された部材が完成する。
【００３０】
ここで、コンタクト端子１１が第１腕部３０と第２腕部３５からなることにより、第１腕部３０において切断される桟部４２側は、端子としては直接機能しない突出部３４側とすることができ、半田付け部３１側の端部を切断しないようにしている。半田付け部３１は、半田の接着性を良好にするため、メッキがなされているが、半田付け部３１側を切断する場合には、切断後に切断面に対し改めてメッキを行う必要があり、工数を増加させることとなっていた。本実施形態では、半田付け部３１側が切断されないので、改めてメッキを行う必要がなく、工数を減らしてコストダウンを図ることができる。
【００３１】
次に、プラグコネクタ２について説明する。図７には、プラグコネクタ２の斜視図を示している。図７は、プラグコネクタ２がレセプタクルコネクタ１に対して接続される側から見た図としている。プラグコネクタ２はレセプタクルコネクタ１の内周形状に略適合する外形状を有してなり、レセプタクルコネクタ１の２本の空間部１４にそれぞれ挿入される溝挿入部２２が平行に２つ形成されている。溝挿入部２２には、長手方向に沿ってプラグ端子２１が露出しており、レセプタクルコネクタ１のコンタクト端子１１と接触するようにされている。また、プラグ端子２１の他端部は、溝挿入部２２と反対側の面から露出して、基板に対して半田付けされるようになっている。
【００３２】
図８には、レセプタクルコネクタ１にプラグコネクタ２を挿入した状態の斜視図を示している。この図に示すように、プラグコネクタ２は基板に半田付けされる側の面近傍の部分を除いた大部分がレセプタクルコネクタ１に挿入される。この状態で、プラグ端子２１はコンタクト端子１１にそれぞれ接触し導通状態となる。
【００３３】
図９には、レセプタクルコネクタ１にプラグコネクタ２を挿入した状態における端子部分の拡大断面図を示している。この図に示すように、レセプタクルコネクタ１のコンタクト端子１１とプラグコネクタ２のプラグ端子２１は、レセプタクルコネクタ１の空間部１４内において接触している。コンタクト端子１１の接触部３６は、第２腕部３５の両端部がそれぞれ略逆Ｕ字状に折り曲げ形成されてなるため、第２腕部３５の長手方向に弾性を有している。プラグコネクタ２のプラグ端子２１は、コンタクト端子１１の両接触部３６間に挿入され、それに伴って接触部３６を第２腕部３５の両側側にそれぞれ押圧し、接触部３６は図９に示されているように弾性変形する。これにより、コンタクト端子１１とプラグ端子２１の間で確実な接触がなされる。
【００３４】
また、プラグコネクタ２がレセプタクルコネクタ１に挿入されると、その後に両者を分離する必要はないため、プラグコネクタ２がレセプタクルコネクタ１から抜けないようにされている。図１に示すように、プラグ本体２０には、コンタクト端子１１と接触するように露出したプラグ端子２１間に、側方にフック状に突出した係合部２０ａがそれぞれ形成されている。一方、レセプタクル本体１０側には係合部２０ａと係合可能な構成が形成されている。
【００３５】
図１０には、レセプタクルコネクタ１にプラグコネクタ２を挿入した状態における端子間部分の拡大断面図を示している。この図に示すように、レセプタクル本体１０を構成する隔壁部１５は、空間部１４を構成する側壁にフック状の被係合部１５ａを有している。プラグコネクタ２の係合部２０ａは、レセプタクルコネクタ１に挿入されることで被係合部１５ａと係合し、それによってプラグコネクタ２がレセプタクルコネクタ１から抜けないようにされている。
【００３６】
このようにコンタクト端子１１は端子列１２を構成し、この端子列１２がコンタクト端子１１の長さ方向に沿って並列配置されるため、従来のコンタクト端子のように半田付け部から接触部までが一直線状に形成されていると、レセプタクルコネクタが端子列の列方向に大きくなって基板上に適切に配置できないことがあった。このため、本実施形態にかかる基板間接続コネクタは、絶縁材料からなるプラグ本体２０と、プラグ本体２０に保持されたプラグ端子２１とを有したプラグコネクタ２と、絶縁材料からなるレセプタクル本体１０と、レセプタクル本体１０に保持されプラグ端子２１が接続されるコンタクト端子１１とを有したレセプタクルコネクタ１とからなる基板間接続コネクタにおいて、レセプタクル本体１０には複数のコンタクト端子１１が列をなしてなる端子列１２が２列以上並列配置され、コンタクト端子１１は、レセプタクル本体１０から突出する半田付け部３１を有した第１腕部３０と、プラグ端子２１と接続される接触部３６を有した第２腕部３５とが、端子列１２が並列配置される方向と直交する方向に並設されると共に、接続桟部３７を介して一体化されてなることにより、コンタクト端子１１が２列からなるために、端子列１２が並列配置される方向の長さを短くすることができ、コネクタの形状を当該長さ方向に小さくすることができるので、基板上におけるスペース効率を向上させることができ、機器全体の小型化にも寄与することができる。
【００３７】
また、レセプタクル本体１０にはコンタクト端子１１を納める空間部１４が端子列１２の伸びる方向に沿って形成され、空間部１４の両側壁にはそれぞれのコンタクト端子１１の第２腕部３５の周囲を取り囲む隔壁部１５を備え、隔壁部１５のうちレセプタクル本体１０の側面を構成する隔壁部１５間には第１腕部３０の半田付け部３１より内側が配置される内側壁部１６が設けられ、第１腕部３０の半田付け部３１より内側は内側壁部１６の形状に沿う凸状部３２を形成し、凸状部３２と接触部３６は端子列１２が並列配置される方向において重なりあう部分を有するように配置されることにより、接触部３６と凸状部３２を干渉させることなくコンタクト端子１１の端子列１２が並列配置される方向の長さを短くすることができる。
【００３８】
さらに、接触部３６は第２腕部３５の両側部にプラグ端子２１と係合自在に設けられ、接触部３６のそれぞれが隔壁部１５内に配置されることにより、接触部３６によりプラグ端子２１を両側から狭持しつつ係合固定することができるので、コンタクト端子１１とプラグ端子２１の導通を確実になすことができる。
【００３９】
さらにまた、端子列１２は空間部１４の内周形状に略適合するモールド部１３により複数のコンタクト端子１１を一体化してなり、モールド部１３が空間部１４に納められることで、それぞれのコンタクト端子１１がレセプタクル本体１０の所定位置に配置されることにより、端子列１２をインサート成形により容易に形成できると共に、モールド部１３を空間部１４に納めるだけでコンタクト端子１１をレセプタクル本体１０に取付けることができるので、製造を容易にすることができる。
【００４０】
そして、第１腕部３０は一端部に半田付け部３１を備え、半田付け部３１より内側に凸状部３２を有すると共に、凸状部３２より内側に細長状の平板部３３を備え、平板部３３からは接続桟部３７が連続状に形成されると共に、第１腕部３０の他端部を構成する突出部３４がモールド部１３から突出してなることにより、インサート成形の際に突出部３４側を切断することとなり半田付け部３１を切断する必要がないので、半田の接着性を良好にするメッキを切断面に行わなくてもよいこととなり、工数を減らして製造コストを抑えることができる。
【００４１】
また、隔壁部１５のうちレセプタクル本体１０の側面を構成する部分は空間部１４を構成する側壁にフック状の被係合部１５ａを備え、プラグ本体２０はプラグ端子２１がコンタクト端子１１と接触した状態においてレセプタクル本体１０の被係合部１５ａと係合する係合部２０ａを側面に備えてなることにより、プラグコネクタ２がレセプタクルコネクタ１から抜けないようにすることができる。
【００４２】
次に、第２の実施形態について説明する。図１１には、本実施形態におけるレセプタクルコネクタ１の斜視図を示している。この図に示すように、本実施形態では、レセプタクルコネクタ１が３列の空間部１４を備え、それぞれに端子列１２が配置されるようになっている。これら３列の端子列１２のうち、両端の端子列１２とそれを納めるレセプタクル本体１０の構成は、第１の実施形態と同様であるため、説明を省略する。
【００４３】
図１１に示すように、レセプタクル本体１０の中央部に形成された空間部１４には、両側壁にそれぞれ隔壁部１５が形成され、この隔壁部１５にコンタクト端子１１の接触部３６が納められる。この中央部の空間部１４は、両側部がそれぞれ空間部１４に隣接しているため、その中に納められるコンタクト端子１１は、両側部のコンタクト端子１１と同じ構造ではレセプタクル本体１０の外部に取り出すことができない。このため、レセプタクル本体１０の下面にコンタクト端子１１を挿通させるようにしている。
【００４４】
図１２には、レセプタクルコネクタ１の下面側から見た分解斜視図を示している。なお、この図ではレセプタクル本体１０の両側部に納められる端子列１２は省略している。図１２に示すように、レセプタクル本体１０の中央部に形成された空間部１４は、下面側が開口しており、端子列１２を保持したモールド部１３をレセプタクル本体１０の下面側から挿入することができるようにされている。
【００４５】
中央の端子列１２を構成するコンタクト端子１１は、第１腕部３０の一端部が略直線状に伸びており、またレセプタクル本体１０の下面には、中央の端子列１２を構成するコンタクト端子１１の第１腕部３０を納める中央端子挿通部１８が凹状に形成されている。モールド部１３を中央の空間部１４内に納めることにより、第１腕部３０は中央端子挿通部１８を介して、端部となる半田付け部３１がレセプタクル本体１０の外方に露出する。
【００４６】
図１３には、本実施形態においてレセプタクルコネクタ１にプラグコネクタ２を挿入した状態の斜視図を示している。プラグコネクタ２には、レセプタクルコネクタ１に端子列１２が３列設けられているのに対応して、プラグ端子２１を３列並列配置して形成されており、プラグコネクタ２をレセプタクルコネクタ１に対して挿入することによって、各プラグ端子２１がコンタクト端子１１に接触、導通する。
【００４７】
また、この状態における断面図を図１４に示している。この図に示すように、本実施形態においても、レセプタクル本体１０を構成する隔壁部１５は、空間部１４を構成する側壁にフック状の被係合部１５ａを有し、プラグ本体２０の側面に形成された係合部２０ａが係合することで、プラグコネクタ２をレセプタクルコネクタ１から抜けないようにしている。
【００４８】
次に、第３の実施形態について説明する。本実施形態では、コンタクト端子１１についてのみ説明する。図１５には、本実施形態におけるコンタクト端子１１の斜視図を示している。この図に示すように、本実施形態のコンタクト端子１１は、第１腕部３０と第２腕部３５が互いに平行となるように並設配置されて接続桟部３７により一体化されてなる点は、第１の実施形態及び第２の実施形態と同様である。一方、本実施形態のコンタクト端子１１は、第１腕部３０に凸状部３２を有しておらず、第１腕部３０は一方の端部に半田付け部３１を有し、半田付け部３１と突出部３４の間は細長い直線状の平板部３３からなっている。
【００４９】
第２腕部３５は、第１の実施形態及び第２の実施形態と概ね同様の構成を有している。すなわち、両端部にそれぞれ略逆Ｕ字状に折り曲げ形成されてなる屈曲部３６ａからなる接触部３６を有しており、中央部において接続桟部３７と一体化されている。屈曲部３６ａは、互いに対向し、第２腕部３５の中央部を中心とした対称形状をなすように形成されている。接触部３６がプラグ端子２１を両側から挟持できるように、屈曲部３６ａが第２腕部３５の両側に略逆Ｕ字状に折り曲げ形成されていることで、プラグ端子２１との接続を確実になすことができる。また、このように接触部３６を構成できるのは、接触部３６を第１腕部３０に対し並設配置したことによるものである。
【００５０】
第１腕部３０は、略平板状に形成されているため、本実施形態のコンタクト端子１１が用いられる基板間接続コネクタにおいては、第１腕部３０はレセプタクル本体１０の下面側から外部に導出される構成を有することとなる。このため、レセプタクル本体１０の下面には、第１腕部３０を納める挿通部が凹状に形成され、第１腕部３０は挿通部を介して、端部となる半田付け部３１がレセプタクル本体１０の外方に露出する。
【００５１】
次に、第４の実施形態について説明する。本実施形態もコンタクト端子１１についてのみ説明する。図１６には、本実施形態におけるコンタクト端子１１の斜視図を示している。この図に示すように、本実施形態のコンタクト端子１１は、第１腕部３０が半田付け部３１を除き略直線状に形成されている点では第３の実施形態と同様である。一方、本実施形態のコンタクト端子１１は、第１腕部３０からその長手方向と交差する方向に２つの延出部３８が伸び、この延出部３８にそれぞれ屈曲部３６ａが形成されることで、プラグ端子２１と接続される接触部３６をなしている。
【００５２】
接触部３６を構成する各屈曲部３６ａは、２つの延出部３８からそれぞれ立ち上がると共に、略Ｓ字状をなすように形成されており、先端部近傍で互いに接触している。これによって、第３の実施形態のように逆Ｕ字状をなす場合に比べてよりバネ性が強くなり、プラグ端子２１をより強固に両側から挟持固定することができる。なお、本実施形態においても第３の実施形態のように接触部３６に逆Ｕ字状の形状を採用してもよい。
【００５３】
このように、接触部３６を第２腕部３５ではなく、第１腕部３０の長手方向と交差する方向に２つ形成される延出部３８に形成することによっても、接触部３６が第１腕部３０に対し並設配置されると共に、一体化されるようにすることができる。なお、本実施形態で延出部３８は、第１腕部３０と交差する方向に伸びて接触部３６が第１腕部３０と並設配置されるようにすればよく、第１腕部３０から直交する方向に伸びるものには限られない。
【００５４】
次に、第５の実施形態について説明する。本実施形態もコンタクト端子１１についてのみ説明する。図１７には、本実施形態におけるコンタクト端子１１の斜視図を示している。図１７（ａ）はコンタクト端子１１単独の状態を表しており、図１７（ｂ）はコンタクト端子１１とプラグ端子２１が接続された状態を表している。
【００５５】
図１７（ａ）に示すように、コンタクト端子１１は互いに平行となるように配置された第１腕部３０と第２腕部３５を備えており、第１腕部３０には半田付け部３１と平板部３３が設けられ、第２腕部３５には接触部３６が設けられると共に、第１腕部３０と第２腕部３５は接続桟部３７により一体化されている。
【００５６】
第２腕部３５に形成される接触部３６は、第２腕部３５の両端にそれぞれ形成された１組の屈曲部３６ａにより構成される。一方の屈曲部３６ａは、接続桟部３７の近傍位置から立ち上がり、略逆Ｕ字状をなすように形成され、他方の屈曲部３６ａは、接続桟部３７から離れた位置まで伸びた第２腕部３５の端部から折り返されるように曲げられ、接続桟部３７の位置まで第２腕部３５と略平行に伸びる直線状に形成されている。２つの屈曲部３６ａは、互いに対向すると共に、プラグ端子２１を挿入可能な距離を有して離隔する。
【００５７】
図１７（ｂ）に示すように、２つの屈曲部３６ａからなる接触部３６にプラグ端子２１を接続すると、略Ｖ字状を有してなるプラグ端子２１の接触部２１ａによって、接続桟部３７から離れた位置で曲げられた側の屈曲部３６ａの先端部が、弾性変形して押し下げられる。このため、プラグ端子２１をコンタクト端子１１に接続する際には、より大きな力が必要となる。プラグ端子２１は、挿入力に対抗するコンタクト端子１１の弾性力を受けるため、コンタクト端子１１とプラグ端子２１は、第１〜４の実施形態の場合と比べて、より大きな接点圧により接続されることとなる。このように、本実施形態では接触部３６が左右非対称に形成されているが、より強固に両者が接続され、確実な導通をなすことができる。
【００５８】
以上、本発明の実施形態について説明したが、本発明の適用は本実施形態には限られず、その技術的思想の範囲内において様々に適用されうるものである。
【図面の簡単な説明】
【００５９】
【図１】第１の実施形態における基板間接続コネクタの斜視図である。
【図２】レセプタクルコネクタの分解斜視図である。
【図３】コンタクト端子の斜視図である。
【図４】コンタクト端子の平面図および側面図である。
【図５】レセプタクルコネクタの平面図である。
【図６】端子形成板を用いてモールド部をインサート成形した斜視図である。
【図７】プラグコネクタの斜視図である。
【図８】レセプタクルコネクタにプラグコネクタを挿入した状態の斜視図である。
【図９】レセプタクルコネクタにプラグコネクタを挿入した状態における端子部分の拡大断面図である。
【図１０】レセプタクルコネクタにプラグコネクタを挿入した状態における端子間部分の拡大断面図である。
【図１１】第２の実施形態におけるレセプタクルコネクタの斜視図である。
【図１２】レセプタクルコネクタの下面側から見た分解斜視図である。
【図１３】レセプタクルコネクタにプラグコネクタを挿入した状態の斜視図である。
【図１４】レセプタクルコネクタにプラグコネクタを挿入した状態の断面図である。
【図１５】第３の実施形態におけるコンタクト端子の斜視図である。
【図１６】第４の実施形態におけるコンタクト端子の斜視図である。
【図１７】第５の実施形態におけるコンタクト端子の斜視図である。
【符号の説明】
【００６０】
１    レセプタクルコネクタ
２    プラグコネクタ
１０    レセプタクル本体
１１    コンタクト端子
１２    端子列
１３    モールド部
１４    空間部
１５    隔壁部
１５ａ  被係合部
１６    内側壁部
１７    端部空間部
１８    中央端子挿通部
２０    プラグ本体
２０ａ  係合部
２１    プラグ端子
２２    溝挿入部
３０    第１腕部
３１    半田付け部
３２    凸状部
３３    平板部
３４    突出部
３５    第２腕部
３６    接触部
３７    接続桟部
【図１】
2010073674.tif 000003
【図２】
2010073674.tif 000004
【図３】
2010073674.tif 000005
【図４】
2010073674.tif 000006
【図５】
2010073674.tif 000007
【図６】
2010073674.tif 000008
【図７】
2010073674.tif 000009
【図８】
2010073674.tif 000010
【図９】
2010073674.tif 000011
【図１０】
2010073674.tif 000012
【図１１】
2010073674.tif 000013
【図１２】
2010073674.tif 000014
【図１３】
2010073674.tif 000015
【図１４】
2010073674.tif 000016
【図１５】
2010073674.tif 000017
【図１６】
2010073674.tif 000018
【図１７】
2010073674.tif 000019